(57)【要約】      （修正有）【課題】遠隔通信装置により伝送されることにより、即時に、位置付けの回報や位置表示を行い、視覺化の全過程監視が実現される電気起動可能の電子シールストリップを提供する。【解決手段】プラグピンがプラグピン座に挿入されると、充電式電池装置により給電される。上記電力によりモータが駆動され、係合セットが、プラグピンに係合する。また、外部からの暗号化された指令信号を受信すると、所定の指令に一致すれば、開錠指令を送信してモータを逆回転させ、プラグピンが釈放され、これにより、電子シールストリップの回収利用が実現される。また、電源や信号伝送が中断されたかを検知することにより、即時に、電子シールストリップを検知でき、破壊事件が発生すると、破壊事件の時間や事件を記録して、主動式電子シールストリップの読み取り器に送信する。また、延伸ホストケースを設置することにより、主動式電子シールストリップの安全情報や両方向に荷物情報を送受信できる。【選択図】図２
0003173238.tif 000002
【実用新案登録請求の範囲】
【請求項１】
ドアのサークリップに貫設されてロックすることができる電気起動可能の電子シールストリップであって、
内部が、リング状中空で、末端に、リング状溝が形成される金属製のプラグピンであり、上記プラグピンの中に位置し、複数の導通点を有するプラグピンコネクタ端子と、プラグピン頭部に覆われ、伝送リードにより、プラグピンコネクタ端子に接続される充電式電池装置と、上記プラグピンの中に位置し、伝送リードにより、上記プラグピンコネクタ端子に接続される無線自動識別チップと、が備えられる金属製のプラグピンと、
ホストケースを有し、上記ホストケースに、上記プラグピンが挿入されるための挿入孔を有し、上記プラグピンが、緊密に上記プラグピン座に係合されるプラグピン座でり、上記プラグピンコネクタ端子に対応して接続されるプラグピン座コネクタ端子と、閉鎖信号を供給し、外部からの暗号化された指令信号を受信し、暗号化された指令信号を復号して、一致性を検証し、一致すれば、開錠指令を送信し、また、上記制御と通信回路は、上記電子シールストリップが、破壊事件に遭った時の時間や事件記録を提供し、自動的に、無線自動識別読み取り器に対して、事件発生メッセージを送信する制御と通信回路と、係合座と半月状横棒を有し、上記半月状横棒が、上記係合座に貫通して水平に移動でき、半月状横棒が、上記プラグピンのリング状溝に係合されるか、脱離することができる係合セットと、上記半月状横棒を駆動して、上記プラグピンのリング状溝に係合させることやから脱離することを行い、上記開錠指令を受信すると、上記モータにより、上記半月状横棒が連動されてリング状溝から脱離し、上記閉鎖信号を受信すると、上記モータにより、上記半月状横棒が連動されてリング状溝に係合するモータと、ホストケース上にボタンがあり、上記開錠指令を受信して押さえられると、上記モータを駆動して、上記半月状横棒が連動されて上記プラグピンのリング状溝から脱離する安全スイッチと、上記ホストケース内に設置され、無線自動識別チップに結合されてもよく、充電式電池装置が、働かない時、無線自動識別読み取り器で読み取ると、無線自動識別チップの安全情報を判断できる無線周波アンテナと、上記ホストケースの表面上に設置され、上記制御と通信回路の稼動情況に基づいて、電池の弱電や閉鎖完成、通信構成、破壊防止メッセージの表示と警告を行う表示と警告ユニットと、が備えられるプラグピン座と、が含有されることを特徴とする電気起動可能の電子シールストリップ。
【請求項２】
プラグピンとプラグピン座とが係合された時、上記プラグピンコネクタ端子の複数の導通点と上記プラグピン座の連接端子の複数の導通点とが、対応して接続され、上記プラグピン内の無線自動識別チップと上記プラグピン座ホストケース内の無線周波アンテナとが導通され、外部の無線自動識別読み取り器の無線周波電磁波に応答することを特徴とする請求項１に記載の電気起動可能の電子シールストリップ。
【請求項３】
上記プラグピンが破壊されたか、不正に開錠されて、上記無線自動識別チップの通信が切れた場合、切れた瞬間の時間や事件が、直ちに上記無線自動識別チップ内に記録されることを特徴とする請求項２に記載の電気起動可能の電子シールストリップ。
【考案の詳細な説明】
【技術分野】
【０００１】
本考案は、電子シールストリップに関し、特に、電気起動可能の電子シールストリップに関する。
【背景技術】
【０００２】
本考案に係る電子シールストリップは、具体的には、無線自動識別（ＲＦＩＤ：Ｒａｄｉｏ  Ｆｒｅｑｕｅｎｃｙ  Ｉｄｅｎｔｉｆｉｃａｔｉｏｎ）技術を利用して、組合せ式通信構成装置に合わせる電気起動可能の電子シールストリップであって、コンテナ車や保税トラックの閉鎖空間荷物室の安全運輸制御メッセージと荷物情報を、即時に、伝送や識別に適用される。一般の電子シールストリップは、主動的に電池で給電することによって、主として、主動式や被動式電子シールストリップに分けられ、電池によって給電されて稼動されていない被動式電子シールストリップは、例えば、台湾のＭ３５８３８０やＭ３２８０５１、Ｍ２６０６０３、Ｉ２８９７９５等の特許は、使い捨てのため、環境保護に向いていなく、また、破壊されると、主動的に事件時間を記録できなく、また、即時に、通信経路を介して事件を通報しないことは、その欠点である。
【０００３】
自主的に電池で供電する主動式電子シールストリップは、電池で供電できるため、余ほど、多数の機能を実行でき、例えば、中国ＺＬ２００６２００４７９１０．６特許があり、その電子シールストリップは、内部にＧＰＳ位置付けモジュールが実装され、マイクロプロセッサを備え、信号送受信機能を発揮でき、また、位置付け機能を実行できる。しかしながら、ＺＬ２００６２００４７９１０．６特許のプラグピンとロックは、一次式で、繰り返して利用することができないため、コストが高くなる。また、米国特許ＵＳ  ６，０６９，５６３は、電子シールストリップに、更に主動式検知回路を設置して、外力によって破壊される事件を検知できるものであるが、一次式である使え捨ての設計である。
【０００４】また、既存の機械式シールストリップ装置も、一次式である使い捨ての設計で、外観によって簡単に破壊されたかを判断できる。電子シールストリップに追加された破壊防止装置は、大部分が、例えば、光や熱及び温度である外部のパラメーターを利用して、閉鎖空間のコンテナや保税トラック荷物室について、その閉鎖前と閉鎖後のパラメーターの変化を測定することにより、電子シールストリップが破壊されたことや荷物室に非法的に進入されたことを監視する。または、ＧＰＳ位置付けや（公序良俗違反につき、不掲載）／ＧＰＲＳ／（公序良俗違反につき、不掲載）／ＨＳＤＰＡ等の遠隔通信手段を利用して、位置付けや両方向の即時安全メッセージ通報や運送荷物情報の交換機能を実現する。【０００５】
しかしながら、主動式電子シールストリップ装置が、故障した場合、一般は、電池の電力が切れているのが多いが、主動式電子シールストリップ装置が破壊されたことも排除できない。そのため、主動式電子シールストリップ装置が、故障した場合、その故障の原因を判断しにくくなる。また、主動式電子シールストリップ装置が、破壊されていない状態で開錠されることも、判断しにくい。電子シールストリップ装置が、開錠される前、破壊されたか、電池による稼動できないことは、実用上では、非常に重要なことである。
【０００６】
また、各種類の荷物の安全運輸よる条件や場所及び環境に基づいて、主動式電子シールストリップ装置が、システム面のニーズ（特に、外部との通信）に応じて、モジュール化の組合せを提供すれば、主動式電子シールストリップ装置１の稼動が、よりスマート化になる。
【０００７】
その故、本考案者は、上記欠点を解消するため、慎重に研究し、また、学理を活用して、有効に上記欠点を解消でき、設計が合理である本考案を提案する。
【先行技術文献】
【特許文献】
【０００８】
【特許文献１】Ｍ３５８３８０
【特許文献２】Ｍ３２８０５１
【特許文献３】Ｍ２６０６０３
【特許文献４】Ｍ２８９７９５
【特許文献５】中国ＺＬ２００６２００４７９１０．６
【特許文献６】米国特許ＵＳ  ６，０６９，５６３
【考案の開示】
【考案が解決しようとする課題】
【０００９】
本考案は、上記の従来技術の欠点を解消するため、電気起動可能の電子シールストリップを提供し、上記電子シールストリップは、繰り返して使用する構成を有し、荷物室のサークリップを閉鎖した後、二重且つ独自的な破壊防止検知機構が実現される。同時に、本考案によれば、電子シールストリップの識別符号と破壊されたメッセージやその運送の荷物情報を、短長距離通信方法を組合せて送信する機能を発揮でき、閉鎖空間であるコンテナや保税トラック荷物室に適用されることができ、上記電子シールストリップは、プラグピンとプラグピン座からなり、また、上記の二部分が、コンテナや荷物室のサークリップに貫設されて係合してから、稼動し、一旦、プラグピンが破壊されると、主動的に検知して、上記メッセージを記録し、上記記録された電子信号は、プラグピンに電池よって供電されなくても、外部の読み取り器で読み取ることができ、また、上記主動式電子シールストリップは、組合せ式通信構成を有し、主動的に破壊されたメッセージや物流情報を送信でき、荷物が、より安全的に運輸されることができる。
【課題を解決するための手段】
【００１０】
上記目的を達成するための本考案に係る電気起動可能の電子シールストリップは、金属製のプラグピンとプラグピン座を備える。
【００１１】
内部が、リング状中空で、末端に、リング状溝が形成される金属製のプラグピンであり、上記プラグピンの中に位置し、複数の導通点を有するプラグピンコネクタ端子と、プラグピン頭部に覆われ、伝送リードにより、プラグピンコネクタ端子に接続される充電式電池装置と、上記プラグピンの中に位置し、伝送リードにより、上記プラグピンコネクタ端子に接続される無線自動識別チップと、が備えられる金属製のプラグピンと、
ホストケースを有し、上記ホストケースに、上記プラグピンが挿入されるための挿入孔を有し、上記プラグピンが、緊密に上記プラグピン座に係合されるプラグピン座でり、上記プラグピンコネクタ端子に対応して接続されるプラグピン座コネクタ端子と、閉鎖信号を供給し、外部からの暗号化された指令信号を受信し、暗号化された指令信号を復号して、一致性を検証し、一致すれば、開錠指令を送信し、また、上記制御と通信回路は、上記電子シールストリップが、破壊事件に遭った時の時間や事件記録を提供し、自動的に、無線自動識別読み取り器に対して、事件発生メッセージを送信する制御と通信回路と、係合座と半月状横棒を有し、上記半月状横棒が、上記係合座に貫通して水平に移動して、半月状横棒が、上記プラグピンのリング状溝に係合されるか、脱離することができる係合セットと、上記半月状横棒を駆動して、上記プラグピンのリング状溝に係合させることやから脱離することを行い、上記開錠指令を受信すると、上記モータにより、上記半月状横棒が連動されてリング状溝から脱離し、上記閉鎖信号を受信すると、上記モータにより、上記半月状横棒が連動されてリング状溝に係合するモータと、ホストケース上にボタンがあり、上記開錠指令を受信して押さえられると、上記モータを駆動して、上記半月状横棒が連動されて上記プラグピンのリング状溝から脱離する安全スイッチと、上記ホストケース内に設置され、無線自動識別チップに結合されてもよく、充電式電池装置が、働かない時、無線自動識別読み取り器で読み取ると、無線自動識別チップの安全情報を判断できる無線周波アンテナと、上記ホストケースの表面上に設置され、上記制御と通信回路の稼動情況に基づいて、電池の弱電や閉鎖完成、通信構成、破壊防止メッセージの表示と警告を行う表示と警告ユニットと、が備えられるプラグピン座とが含有される。
【００１２】
本考案の実施例において、プラグピンとプラグピン座が係合されると、上記プラグピンコネクタ端子と上記プラグピン座コネクタ端子とが対応して接続され、上記プラグピン内の無線自動識別チップと上記プラグピン座ホストケース内の無線周波アンテナとが導通され、外部の無線自動識別読み取り器の無線周波電磁波に応答できる。
【００１３】
本考案の実施例において、上記プラグピンが破壊されたか、不正に開錠されて、上記無線自動識別チップの通信が切れた場合、切れた瞬間の時間や事件が、直ちに上記無線自動識別チップ内に記録される。
【００１４】
本考案の実施例において、プラグピンとプラグピン座が係合されると、上記プラグピンコネクタ端子と上記プラグピン座コネクタ端子とが対応して接続され、上記プラグピンの充電式電池セットにより、上記電子シールストリップに対して給電する。
【００１５】
本考案の実施例において、上記プラグピンが、破壊されたか、不正に開錠されて、上記充電式電池装置による給電中断されると、中断された時の時間や事件が、直ちに上記プラグピン座の制御と通信回路のメモリ内に記録される。
【００１６】
本考案の実施例において、上記プラグピンが、上記プラグピン座に挿入されると、上記プラグピンの充電式電池装置により、給電され、また、上記給電により、上記モータが、上記半月状横棒を、上記プラグピンのリング状溝に係合するように駆動する。
【００１７】
本考案の実施例において、上記プラグピンが、上記プラグピン座に挿入されると、上記制御と通信回路により、上記充電式電池装置の電力を検知し、また、弱電メッセージを、即時に、上記表示と警告ユニット上に表示する。
【００１８】
本考案の実施例において、上記プラグピンが、上記プラグピン座に挿入されることにより、電源導通になり、上記制御と通信回路で上記モータを駆動し、上記モータで、プラグピンのリング状溝に係合するように、係合セットを駆動し、また、上記制御と通信回路が、暗号化された指令信号を受信して復号し、一致と判読すれば、上記制御と通信回路から、上記安全スイッチに対して上記開錠指令を送信し、上記安全スイッチにより開錠される。
【００１９】
本考案の実施例において、電子シールストリップは、更に、延伸ホストケースを有し、上記延伸ホストケースが、プラグピン座のホストケース上に係合され、電子ハーネスにより、ホストケースに電気的に接続され、上記電子ハーネスは、電源が供給されるだけでなく、信号が伝送される、組合せ式通信ホストケースであり、その内に、位置付け情報を、上記控制と通信回路へ送信して、記録する衛星位置付け素子が設置される。延伸ホストケースは、内部に、更に、電信ネットワーク通信プロトコルで、主動式電子シールストリップの安全情報と両方向伝送の運送荷物情報を送受信する遠隔通信装置が設置される。遠隔通信装置伝送により、即時に、位置付け回報や位置表示を実現でき、視覚的に全過程に監視できる。
【００２０】
以下、図面を参照しながら、本考案の特徴や技術内容について、詳しく説明するが、それらの図面等は、参考や説明のためであり、本考案は、それによって制限されることが無い。
【図面の簡単な説明】
【００２１】
【図１】本考案の第一実施例の側面図である。
【図２】本考案の実施例の断面概念図である。
【図３】本考案の実施例の断面概念図である。
【図４】考案実施例の局部断面図である。
【図５】考案実施例の局部断面図である。
【図６】本考案の他の実施例の側面図である。
【図７】本考案の他の実施例の断面概念図である。
【考案を実施するための形態】
【００２２】
以下、具体的な実例を挙げて、本考案の実施形態を説明し、関係業者が、本明細書に掲示された内容により、簡単に、本考案の他の利点や効果が分かる。
【００２３】
図１と図２は、本考案の実施例の断面概念図であり、図のように、本考案に係る電気起動可能の電子シールストリップ１は、主として、プラグピン１００とプラグピン座２００を備える。
【００２４】
上記プラグピン１００は、金属製であり、外部に、保護用ゴムケース（図に未表示）があり、その末端に、リング状溝１３０が形成される。プラグピン１００は、更に、上記プラグピン１００の中に位置し、複数の導通点を有するプラグピンコネクタ端子１４０がある。プラグピン１００には、次の技術手段が含まれる。
【００２５】
充電式電池装置１５０は、ゴムケースによって覆われて、プラグピン１００の頭部に位置し、上記ゴムケースによって保護され、また、電源線とする伝送リード１０１で、上記プラグピンコネクタ端子１４０の導通点に接続される。
【００２６】
無線自動識別チップ１６０は、上記プラグピン１００内の中空箇所に位置し、信号線とする伝送リード１０１で、上記プラグピンコネクタ端子１４０の導通点に接続される。
【００２７】
図１と図２を参照しながら、上記プラグピン座２００は、絶縁プラスチック製のホストケース２１０で、ホストケース２１０は、プラグピン１００が挿入されるための挿入孔２１１を有し、プラグピン１００が、緊密に、プラグピン座２００に係合されて、電気起動可能の電子シールストリップ１が形成される。プラグピン座２００は、更に、プラグピン座コネクタ端子２２０や電圧変換ユニット２３０、制御と通信回路２４０、係合セット２５０、モータ２６０、安全スイッチ２７０、無線周波アンテナ２８０及び表示と警告ユニット２９０の技術手段を有する。
【００２８】
プラグピン座コネクタ端子２２０は、複数の導通点が、対応するようにプラグピンコネクタ端子１４０の導通点に接続され、プラグピン座コネクタ端子２２０と上記プラグピンコネクタ端子１４０とが、対応して接続される。
【００２９】
図２と図３を参照しながら、プラグピン１００が、プラグピン座２００に挿入されると、プラグピン１００のプラグピン座コネクタ端子２２０が、上記プラグピンコネクタ端子１４０やプラグピン座２００のプラグピン座コネクタ端子２２０に対応して接続されるため、プラグピン１００の充電式電池装置１５０によって給電する。
【００３０】
電圧変換ユニット２３０は、上記ホストケース２１０の中に設置され、充電式電池装置１５０の電力出力を変換し、主動式電子シールストリップの各部材に対して、必要とする電力を供給する。
【００３１】
制御と通信回路２４０は、外部を相手とする通信のための閉鎖信号を供給し、また、外部の暗号化された指令信号を受信して、暗号化された指令信号を復号して、一致性を検証する。制御と通信回路２４０は、一致した場合、開錠指令を送信し、また、制御と通信回路２４０から、電子シールストリップが破壊された事件の時間や事件記録を提供し、そして、主動的に事件発生メッセージを、無線自動識別読み取り器に対して送信できる。
【００３２】
係合セット２５０は、係合座２５１と半月状横棒２５２を有し、半月状横棒２５２は、係合座２５１に貫通して水平に移動でき、半月状横棒２５２は、上記プラグピン１００のリング状溝１３０に係合されるように、または、脱離するようになる。
【００３３】
モータ２６０は、半月状横棒２５２とプラグピン１００のリング状溝１３０とが、係合するか、脱離するかのように駆動する。モータ２６０は、制御と通信回路２４０からの開錠指令を受信すれば、半月状横棒２５２を、リング状溝１３０から脱離するように駆動させる。モータ２６０は、制御と通信回路２４０からの閉鎖信号を受信すれば、半月状横棒２５２を、リング状溝１３０に係合するように駆動させる。
【００３４】
安全スイッチ２７０は、ホストケース２１０上にするボタンを有し、開錠指令を受信して押さえられると、モータ２６０を駆動して、半月状横棒２５２を、上記プラグピン１００のリング状溝１３０から脱離するように駆動させる。
【００３５】
無線周波アンテナ２８０は、ホストケース２１０内に設置され、無線自動識別チップ１６０に結合されてもよく、充電式電池装置１５０が、故障して稼動できない時、外部の無線自動識別読み取り器により、無線自動識別チップ１６０に対して読み取ることにより、電子シールストリップ１の安全情報を判読できる。
【００３６】
表示と警告ユニットは、ホストケース２１０の表面上に設置され、制御と通信回路２４０の稼動情況に基づいて、電池弱電や閉鎖完成、通信構成及び破壊防止メッセージの表示と警告を行う。上記プラグピン１００が、上記プラグピン座２００に挿入されると、上記制御と通信回路２４０は、上記充電式電池装置１５０の電力を検知し、弱電メッセージを、即時に、上記表示と警告ユニット２９０上に表示する。
【００３７】
図２と図３を参照しながら、プラグピン１００が、プラグピン座２００に挿入されると、プラグピン１００のプラグピン座コネクタ端子２２０が、上記プラグピンコネクタ端子１４０やプラグピン座２００のプラグピン座コネクタ端子２２０に対応して接続される。この時、プラグピン１００の充電式電池装置１５０による給電された電力は、電圧変換ユニット２３０により、適当な電圧に変換される。
【００３８】
給電されて駆動された制御と通信回路２４０から、閉鎖信号を送信し、モータ２６０を正回転させ、係合セット２５０内の半月状横棒２５２を、プラグピン１００へ向かって変位させる。この時、上記プラグピン１００の充電式電池装置１５０により給電され、また、上記電力により、上記モータ２６０が、上記半月状横棒２５２を、上記プラグピン１００のリング状溝に係合するように、駆動される。プラグピン１００の末端にあるリング状溝１３０まで変位されて係合されたら、制御と通信回路２４０は、モータ２６０の電源を遮断する。
【００３９】
この時、プラグピン１００が、プラグピン座２００から、半月状横棒２５２に垂直する方向に抜き出されるため、半月状横棒２５２は、高安全性に符合する応力を耐えて、モータ２６０を逆方向に回転させるように駆動しない場合、係合が解除されることない。
【００４０】
プラグピン１００が、プラグピン座２００に挿入されて、完全に係合された場合、プラグピンコネクタ端子１４０の導通点とプラグピン座２００のプラグピン座コネクタ端子２２０との対応導通により、プラグピン１００内の無線自動識別チップ１６０とプラグピン座２００内の無線周波アンテナ２８０とが接続され、無線自動識別システムが形成され、外部の無線自動識別読み取り器からの無線周波電磁波に応答できる。
【００４１】
以上のように、外部の無線自動識別読み取り器から、無線周波電磁波を発射することにより、電気起動可能の電子シールストリップ１内の無線自動識別システムが、それを受信でき、また、無線周波電磁波で応答でき、上記無線自動識別チップ１６０の特異な符号を識別でき、また、それとともに、電子シールストリップの安全や物流情報を読み取ることができる。
【００４２】
コンテナ車や保税車、トラック室のサークリップにおいて、プラグピン１００とプラグピン座２００が係合された後、上記電子シールストリップ１は、それぞれ、ホストケース２１０の制御と通信回路２４０を介して、外部の固定式や手持ち式読み取り器と、両方向の安全や物流情報を送受信でき、また、電子シールストリップ内の無線自動識別システムと固定式や手持ち式無線自動識別システム読み取り器とを利用して、特異な符号を識別でき、また、両方向の安全や物流情報を送受信できる。
【００４３】
電子シールストリップ１は、外力によって破壊されると、プラグピン１００とプラグピン座２００との間の伝送リード１０１の一部や全部が切られたら、プラグピン座２００の制御と通信回路２４０は、伝送リード１０１が切られた瞬間、電圧の変化時間を検知して、上記事件を、内蔵されたメモリに記録する。伝送リード１０１が、再び通電されても、上記事件記録も、保存され、また、読み取り器へ送信される。同時に、電源線や信号線とされた伝送リード１０１は、外力によって破壊されて切られたら、上記事件が、無線自動識別チップ１６０に記録されるから、その後、改めて信号線／電源線が接続されて、上記記録が、保存され、また、読み取り器へ送信でき、これにより、本考案は、二重の破壊防止検知機能を発揮できる。
【００４４】
図４と図５を参照しながら、モータ２６０で水平に半月状横棒２５２を変位させるため、上記横棒の先端が、半月状形状で、半月状横棒２５２が、水平に、プラグピン１００のリング状溝１３０に完全に係合するまでに移動でき、高応力を耐える係合が、形成される。外部の無線自動識別読み取り器（固定式や手持ち式）や遠隔の監視センターから、暗号化された指令信号が送信され、電子シールストリップの制御と通信回路２４０が、その暗号化された指令信号を受信した後、直ちに復号し、暗号化された指令信号と一致したら、制御と通信回路２４０から、開錠指令を、安全スイッチ２７０へ向かって送信し、プラグピン１００が、抜き出される前、電子シールストリップの安全スイッチ２７０を押してから、モータ２６０の位置を判断し、モータ２６０を、逆方向に回転させて係合セット２５０内の半月状横棒２５２が、プラグピン１００と係合する位置まで抜き出され、上記のように、破壊されること無く、プラグピン１００を抜き出すことができ、電子シールストリップ１を回収して再利用する効果が得られる。
【００４５】
図６と図７は、本考案による通信経路の組合せ式設計と、外部とメッセージ交換する構成の概念図であり、上記構成は、プラグピン（図に未表示）とプラグピン１００と係合するプラグピン座２００及び延伸ホストケース３００を備える。
【００４６】
上記プラグピン座２００は、構造が、前記実施例と同じ部分を省略し、主な差異は、プラグピン座２００に、電子シールストリップの延伸ホストケース３００の電源と信号伝送とされるプラグピン１００による給電や制御と通信回路２４０の信号線の延伸電子ハーネス３１０がある。
【００４７】
延伸ホストケース３００は、位置付けと通信の組合せ式構成を有し、ネジ３４０により、プラグピン座２００のホストケース２１０に固定されて、上記ホストケース２１０と延伸ホストケース３００の電子ハーネス３１０とを接続し、延伸ホストケース３００の通信装置を利用して、多様化や組合せ式の通信に適用できる。
【００４８】
延伸ホストケース３００内に、ＧＰＳ位置付け情報を受信するための衛星位置付け素子３２０が設置され、位置付け情報が、ホストケース２１０の控制と通信回路２４０へ伝送されると、記録されて応用することができる。延伸ホストケース３００は、更に、上記延伸ホストケース３００内に設置された遠隔通信装置３３０があり、電信ネットワーク通信プロトコルにより、主動式電子シールストリップの安全情報や両方向に荷物情報を伝送できる。電信ネットワーク通信プロトコルは、ＧＰＲＳやＷＤＣＤＭＡ及びＨＳＤＰＡなどであり、電信ネットワークを利用して、即時に、遠隔でありながら、両方向にメッセージの回報や交換を行う。また、ＧＰＳ位置付け情報は、遠隔通信装置３３０によって送信されてもよく、これにより、即時に、位置付けの回報や位置表示ができ、視覚的に全過程監視が実現される。また延伸型機３００は、電池セット３５０が設置されることにより、内蔵電源になり、また、プラグピン座２００のホストケース２１０電子ハーネス３１０と説即することにより、電源を取得してもよい。そのため、本考案は、より進歩的かつより実用的で、法に従って実用新案登録請求を出願する。
【００４９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００５０】
１      電気起動可能の電子シールストリップ
１００  プラグピン
１０１  伝送リード
１３０  リング状溝
１４０  プラグピンコネクタ端子
１５０  充電式電池装置
１６０  無線自動識別チップ
２００  プラグピン座
２１０  ホストケース
２１１  挿入孔
２２０  プラグピン座コネクタ端子
２３０  電圧変換ユニット
２４０  制御と通信回路
２５０  係合セット
２５１  係合座
２５２  半月状横棒
２６０  モータ
２７０  安全スイッチ
２８０  無線周波アンテナ
２９０  表示と警告ユニット。
３００  延伸ホストケース
３１０  電子ハーネス
３２０  衛星位置付け素子
３３０  遠隔通信装置
３４０  ネジ
３５０  電池セット
【図１】
0003173238.tif 000003
【図２】
0003173238.tif 000004
【図３】
0003173238.tif 000005
【図４】
0003173238.tif 000006
【図５】
0003173238.tif 000007
【図６】
0003173238.tif 000008
【図７】
0003173238.tif 000009
【手続補正書】
【提出日】平成23年11月9日(2011.11.9)
【手続補正１】
【補正対象書類名】明細書
【補正対象項目名】０００４
【補正方法】変更
【補正の内容】
【０００４】
また、既存の機械式シールストリップ装置も、一次式である使い捨ての設計で、外観によって簡単に破壊されたかを判断できる。電子シールストリップに追加された破壊防止装置は、大部分が、例えば、光や熱及び温度である外部のパラメーターを利用して、閉鎖空間のコンテナや保税トラック荷物室について、その閉鎖前と閉鎖後のパラメーターの変化を測定することにより、電子シールストリップが破壊されたことや荷物室に非法的に進入されたことを監視する。または、ＧＰＳ位置付けやＧＰＲＳ／ＨＳＤＰＡ等の遠隔通信手段を利用して、位置付けや両方向の即時安全メッセージ通報や運送荷物情報の交換機能を実現する。
【手続補正２】
【補正対象書類名】明細書
【補正対象項目名】００１１
【補正方法】変更
【補正の内容】
【００１１】
内部が、リング状中空で、末端に、リング状溝が形成される金属製のプラグピンであり、上記プラグピンの中に位置し、複数の導通点を有するプラグピンコネクタ端子と、プラグピン頭部に覆われ、伝送リードにより、プラグピンコネクタ端子に接続される充電式電池装置と、上記プラグピンの中に位置し、伝送リードにより、上記プラグピンコネクタ端子に接続される無線自動識別チップと、が備えられる金属製のプラグピンと、
ホストケースを有し、上記ホストケースに、上記プラグピンが挿入されるための挿入孔を有し、上記プラグピンが、緊密に上記プラグピン座に係合されるプラグピン座であり、上記プラグピンコネクタ端子に対応して接続されるプラグピン座コネクタ端子と、閉鎖信号を供給し、外部からの暗号化された指令信号を受信し、暗号化された指令信号を復号して、一致性を検証し、一致すれば、開錠指令を送信し、また、上記電子シールストリップが、破壊事件に遭った時の時間や事件記録を提供し、自動的に、無線自動識別読み取り器に対して、事件発生メッセージを送信する制御と通信回路と、係合座と半月状横棒を有し、上記半月状横棒が、上記係合座に貫通して水平に移動して、半月状横棒が、上記プラグピンのリング状溝に係合されるか、脱離することができる係合セットと、上記半月状横棒を駆動して、上記プラグピンのリング状溝に係合させるか脱離させることを行い、上記開錠指令を受信すると、上記モータにより、上記半月状横棒が連動されてリング状溝から脱離し、上記閉鎖信号を受信すると、上記モータにより、上記半月状横棒が連動されてリング状溝に係合するモータと、ホストケース上にボタンがあり、上記開錠指令を受信して押さえられると、上記モータを駆動して、上記半月状横棒が連動されて上記プラグピンのリング状溝から脱離する安全スイッチと、上記ホストケース内に設置され、無線自動識別チップに結合されてもよく、充電式電池装置が、働かない時、無線自動識別読み取り器で読み取ると、無線自動識別チップの安全情報を判断できる無線周波アンテナと、上記ホストケースの表面上に設置され、上記制御と通信回路の稼動情況に基づいて、電池の弱電や閉鎖完成、通信構成、破壊防止メッセージの表示と警告を行う表示と警告ユニットと、が備えられるプラグピン座とが含有される。
【手続補正３】
【補正対象書類名】実用新案登録請求の範囲
【補正対象項目名】請求項１
【補正方法】変更
【補正の内容】
【請求項１】
ドアのサークリップに貫設されてロックすることができる電気起動可能の電子シールストリップであって、
内部が、リング状中空で、末端に、リング状溝が形成される金属製のプラグピンであり、上記プラグピンの中に位置し、複数の導通点を有するプラグピンコネクタ端子と、プラグピン頭部に覆われ、伝送リードにより、プラグピンコネクタ端子に接続される充電式電池装置と、上記プラグピンの中に位置し、伝送リードにより、上記プラグピンコネクタ端子に接続される無線自動識別チップと、が備えられる金属製のプラグピンと、
ホストケースを有し、上記ホストケースに、上記プラグピンが挿入されるための挿入孔を有し、上記プラグピンが、緊密に上記プラグピン座に係合されるプラグピン座であり、上記プラグピンコネクタ端子に対応して接続されるプラグピン座コネクタ端子と、閉鎖信号を供給し、外部からの暗号化された指令信号を受信し、暗号化された指令信号を復号して、一致性を検証し、一致すれば、開錠指令を送信し、また、上記電子シールストリップが、破壊事件に遭った時の時間や事件記録を提供し、自動的に、無線自動識別読み取り器に対して、事件発生メッセージを送信する制御と通信回路と、係合座と半月状横棒を有し、上記半月状横棒が、上記係合座に貫通して水平に移動でき、半月状横棒が、上記プラグピンのリング状溝に係合されるか、脱離することができる係合セットと、上記半月状横棒を駆動して、上記プラグピンのリング状溝に係合させるか脱離させることを行い、上記開錠指令を受信すると、上記モータにより、上記半月状横棒が連動されてリング状溝から脱離し、上記閉鎖信号を受信すると、上記モータにより、上記半月状横棒が連動されてリング状溝に係合するモータと、ホストケース上にボタンがあり、上記開錠指令を受信して押さえられると、上記モータを駆動して、上記半月状横棒が連動されて上記プラグピンのリング状溝から脱離する安全スイッチと、上記ホストケース内に設置され、無線自動識別チップに結合されてもよく、充電式電池装置が、働かない時、無線自動識別読み取り器で読み取ると、無線自動識別チップの安全情報を判断できる無線周波アンテナと、上記ホストケースの表面上に設置され、上記制御と通信回路の稼動情況に基づいて、電池の弱電や閉鎖完成、通信構成、破壊防止メッセージの表示と警告を行う表示と警告ユニットと、が備えられるプラグピン座と、が含有されることを特徴とする電気起動可能の電子シールストリップ。